(57)【要約】      （修正有）【課題】按摩体が連続に上下往復したり左右へ揺れたりする動作になり、更に人間の手で上下へ推進したり左右へ揉んだりするような指圧・按摩の効果が実現できる按摩器における前後推進式もみ装置を提供する。【解決手段】主としてはメーンベース２及びメーンベース内に組立てられた作動モーター３、ウォーム３１、ウォームギア４及び按摩体５からなり;その中において、メーンベース内部にはウォームの端部を固着するためρ作動モーター３及びウォームと噛み合って連動になる両のウォームギア４を納めることができ;また該ウォームギアの偏る上方に其々一つの限定伝動軸４１を突出に設けて、且メーンベースの適当な位置に他にウォームギアの中心と其々対応する枢設棒２２があり;両の天辺が按摩面になっている按摩体において、その底面には其々定位孔及び長い滑り溝が設けている。【選択図】図１
0003114917.tif 000002
【実用新案登録請求の範囲】
【請求項１】
一種の按摩器における前後推進式もみ装置である。
主としてはメーンベース及びメーンベース内に組立てられた作動モーター、ウォーム、ウォームギア及び按摩体からなり；その中において、メーンベース内部にはウォームの端部を固着するための作動モーター及びウォームと噛み合って連動になる両のウォームギアを納めることができ；また該ウォームギアの偏る上方に其々一つの限定伝動軸を突出に設けて、且メーンベースの適当な位置に他にウォームギアの中心と其々対応する枢設棒があり；両の天辺が按摩面になっている按摩体において、その底面には其々定位孔及び長い滑り溝が設けてあり；そこで、按摩体の定位孔、長い滑り溝を其々限定伝動軸及び枢設棒に被せて繋ぐようにし、長い滑り溝の滑り及び定位孔がウォームギアに付随して生じる回転を利用すると、按摩体が連続に上下往復したり左右へ揺れたりする動作になり、更に人間の手で上下へ推進したり左右へ揉んだりするような指圧・按摩の効果を実現させるのを特徴とするものである。
【請求項２】
請求項1に記載の按摩器における前後推進式もみ装置であり、その中において、本考案の装置はそのままユニット按摩器として使用できる形態のものである。
【請求項３】
請求項1に記載の按摩器における前後推進式もみ装置であり、その中において、按摩体の頂側にある按摩面は曲弧状に設けられてもよいものである。
【請求項４】
請求項1に記載の按摩器における前後推進式もみ装置であり、その中において、按摩体の頂側には固定軸で回転する回転ローラーを設置して回転ローラーによる転がり、押さえが提供できため、スムーズな按摩の操作効果が実現できる。
【請求項５】
請求項1に記載の按摩器における前後推進式もみ装置であり、その中において、本考案の装置を他の按摩装置に合わせて付属ユニットとして使用することができる。
【考案の詳細な説明】
【技術分野】
【０００１】
本考案の按摩器の前後推進式もみ装置とは、只単一の部位にタッチのもみ効果しか提供できない従来知られた按摩構造に対して改良を加えたものである。主としては作動モーターを利用してウォームとこれに噛み合わせて連動するウォームギアを駆動させ、更に限定伝動軸によって同期に回転するように定位孔を動かして、一方、長い滑り溝を枢設棒の支持によって自由に滑らせることができるため、按摩体を連続に上下往復及び左右揺れに動作させるように制御でき、特に人間の手で上下へ推進するような指圧及び左右へ揉む面積も広くなる按摩効果を持つものである。
【背景技術】
【０００２】
よって、従来知られたウォーム、ウォームギアを利用して伝動を発生させる作動方式は、殆ど小型按摩器または按摩椅子において首への按摩に使われて、全体の構造ではユニットのパーツが複雑になるため、生産・加工へ不便をもたらし、手間もかかることになり、更に製作コストが高くなるトラブルが発生した。それに、その構造ではボール状按摩体を利用して按摩効果を提供するため、只単一の部位への点状タッチの按摩しか発生できないのでその按摩範囲も大きくなれなく、按摩効果も悪くなる。またタッチ、力を受ける面積が小さいため、使用者が受けた反対方向の圧力が分散できず、按摩を実施すると痛くなりやすいため、実用に合わないので一歩進んで改良する必要がある。
【考案の開示】
【考案が解決しようとする課題】
【０００３】
本考案は上記従来の問題点を解決することを課題とする。
【課題を解決するための手段】
【０００４】
上記に述べられたような構造上の設計欠点を見て、本考案の考案者はつい専念に研究して、期間中何回もの試作と修正を経てやっと成功に上記のような従来知られた製品の製作及び使用の欠点を完全に取り除いた本考案を発展した。
【考案の効果】
【０００５】
本考案の主要目的とは、一種のもみ式按摩器の改良を提供することにある。それは只単一の部位にタッチのもみ効果しか提供できない従来知られた按摩構造に対して改良を加えたものである。主としては作動モーターを利用してウォームとこれに噛み合わせて連動するウォームギアを駆動させ、更に限定伝動軸によって同期に回転するように定位孔を動かして、一方、長い滑り溝を枢設棒の支持によって自由に滑らせることができるため、按摩体を連続に上下往復及び左右揺れに動作させるように制御でき、特に人間の手で上下へ推進するような指圧及び同時に左右へのもみ面積も広くなる按摩効果を持つものである。
本考案のもう一つの目的とは、一種のもみ式按摩器の改良を提供することにある。その中においては、本考案は按摩体が連続に上下へ往復したり左右へ揺れたりする作動によって広い面積の按摩効果を実現させるため、按摩の押さえ、力を受けるポイントが随時に変動することで使用者には痛さが感じられなくなり、実用効果に優れている。
本考案のまたもう一つの目的とは一種のもみ式按摩器の改良を提供することにある。その中においては、本考案は定位孔に限定伝動軸を枢設しながら長い滑り溝を枢設棒に被せるという調和関係を利用して、枢設点を一種の作動性(即ち回転或いは滑り)に合わせるという応用になり、その動作が単純で邪魔にならないため、より安定になる操作効果が提供できるものである。
本考案のまたもう一つの目的とは一種のもみ式按摩器の改良を提供することにある。その中においては、按摩体の頂き側にある按摩面においては、その頂き側面に固定軸で回転する回転ローラーを設けることができ、回転ローラーによる転がり、押さえを提供してスムーズな按摩の操作効果を実現させるものである。
【考案を実施するための最良の形態】
【０００６】
まず、図1、図2並びに図3に示されたものを参考してください。本考案はメーンベース2、作動モーター3、ウォームギア4及び按摩体5からなり、その中においては、メーンベース2において、その内部に相対に配置される定位部21が形成してまた其々定位部21の中心と対応する枢設棒22が設けてある。
一つの作動モーター3があり、それはメーンベース2の内部と合わせて組立てられ、その駆動軸端にウォーム31が固着されている。
【０００７】
二つのウォームギア4があり、それはメーンベースの定位部22に枢設されて、且モーター3のウォーム31に噛み合わせて伝動が発生され、また該ウォームギア4の偏る上方に其々一つの限定伝動軸41が突出に設けてある。
【０００８】
二つの按摩体5があり、それは頂き側に按摩面51が設けてあり、その底面に其々一つの定位孔52及び長い滑り溝53が設けてある(詳細は図2を参考)それによって噛み合わせて連動になるウォーム31及びウォームギア4をメーンベース2の内部に隠して置いておき、それから按摩体5の定位孔52をウォームギア4にある限定伝動軸41に被せて繋いでおき、そして長い滑り溝53を枢設棒22に被せて繋ぐようにするため、もみ効果のある装置の形態に組立てられるのである(図3を参考)
【０００９】
更に図4及び図5の説明を合わせて参考してください。作動モーター3は動力でウォーム31を回転するように駆動させると、それに噛み合わせて連動になるウォームギア4が違った回転方向の回転を発生し、更に限定伝動軸41に被せて繋いだ定位孔52を連れて回転させると、その位置移動の特性によって長い滑り溝53が枢設棒を掴まえて滑り出させるようになり、その操作を按摩体5が連続に上下往復したり左右揺れたりする作動(反対方向の持続的な回転が生じるもの)に合わせると、その按摩面51は按摩器の作用面において人問の手による推進式指圧及び同時に左右にもみ出すような複合按摩効果が実現できる(図4、図5に示されたように)。
【００１０】
また按摩体5の頂き側にある按摩面51を曲弧状に設けることができ(図1、図3、図6に示されたように)、そのままタッチ式押さえを提供する外、且頂きの側面に設けてある、固定軸で回転する回転ローラー54によって、回転ローラー54による転がり、押さえが提供できるため、スムーズな按摩操作の効果が実現できる(図7、図8に示されたように)。
【００１１】
その外に、本考案の装置は単一に携帯または固定型の按摩装置として使用される外、更に座り型または椅子型などの按摩装置6に合わせて組立ててその付属パーツとして使われるため、按摩装置6に設けられた携帯、駆動装置の制御によって本考案の装置に長距離での往復移動及び前後推進の回転によるもみ形態を提供して一層広く、快適で新しい按摩効果に形成できる(図6に示されたものを参考)
【００１２】
以上を纏めて考えると本考案はこのような構造上の特徴を利用して確実にオリジナルな考案目的との予期目標が達成でき、且大幅に従来知られた僅か回転揺れの動作しか持たない按摩欠点を改善したため、著しく新型実用新案の成立要件に符合し、法律に従い、実用新案請求に提出し、創作に励ますためにお早めに本考案に実用新案登録を賜りますよう、ひとつよろしくお願いします。
【図面の簡単な説明】
【００１３】
【図１】本考案の立体分解図である。
【図２】本考案の按摩体の外観イメージ図である。
【図３】本考案を立体に組立てたイメージ図である。
【図４】本考案を組み立てて実施させた作動イメージ図である。
【図５】本考案を組立てて実施させたもう一つの作動イメージ図である。
【図６】本考案を按摩装置に合わせて組立てて応用させた実施例である。
【図７】本考案のもう一つの実施例を立体に組立てたイメージ図である。
【図８】本考案のもう一つの実施例を按摩器に合わせて組立てて応用した実施例である。
【符号の説明】
【００１４】
2  メーンベース
21  定位部
22  枢設棒
3  作動モーター
31  ウォーム
4  ウォームギア
41  限定伝動軸
5  按摩体
51  按摩面
52  定位孔
53  長い滑り溝
54  回転ローラー
6  按摩装置
【図１】
0003114917.tif 000003
【図２】
0003114917.tif 000004
【図３】
0003114917.tif 000005
【図４】
0003114917.tif 000006
【図５】
0003114917.tif 000007
【図６】
0003114917.tif 000008
【図７】
0003114917.tif 000009
【図８】
0003114917.tif 000010